(57)【要約】【課題】  コンバインの機体全体を楽にシート掛けできる装置を提供する。【解決手段】  機体高さよりも長い左右の補助棒と、この先端部に連結している左右方向に沿った機体幅よりも広い先端支持棒と、左右の補助棒の基端部を内側に折曲した左右の支持軸とでシート掛け補助装置を構成する。支持軸に回転自在に軸支している左右の回転体を、走行車体の左右のフレームの前後方向に沿った左右のガイド溝に支持し、シート掛け補助装置の先端支持棒にシートを取り付けた状態で、左右の補助棒を上下に回動しながらシート掛け補助装置を前後方向に移動させてシート掛けを行う。【選択図】図４
2011045311.tif 000002
【特許請求の範囲】
【請求項１】
走行車体（２）の右側部に操縦部（４）とグレンタンク（６）を設け、走行車体（２）の左側部に脱穀部（５）を設け、走行車体（２）の前側部に刈取搬送部（８）を設け、走行車体（２）の後側部に排稾処理装置（７）を設けたコンバインにおいて、該コンバインの機体の高さよりも長い左右の補助棒（１２ａ，１２ａ）と、該左右の補助棒（１２ａ，１２ａ）の先端部を連結する左右方向に沿った機体幅よりも長い先端支持棒（１２ｂ）と、左右の補助棒（１２ａ，１２ａ）の基端部を折曲した左右の支持軸（１２ｃ，１２ｃ）とでシート掛け補助装置（１２）を構成し、前記走行車体（２）の左右のフレーム（２ａ，２ａ）に設けた前後方向に沿う左右のガイド溝（１１，１１）に、前記支持軸（１２ｃ，１２ｃ）に備えた左右の回転体（１３，１３）を支持し、前記シート掛け補助装置（１２）の先端支持棒（１２ｂ）にシート（１５）を取り付けた状態で該シート掛け補助装置（１２）を上下方向に回動自在で且つ前後方向に移動自在に支持したことを特徴とするコンバインのシート掛け装置。
【請求項２】
前後方向中央部の機体上面被覆用の上面シート（１５ａ）と、該上面シート（１５ａ）の前後方向中間部から左右に突出する機体左右側面被覆用の左右の側面シート（１５ｂ，１５ｂ）とで前記シート（１５）を構成したことを特徴とする請求項１記載のコンバインのシート掛け装置。
【発明の詳細な説明】
【技術分野】
【０００１】
この発明は、コンバインのシート掛け装置に関するものである。
【背景技術】
【０００２】
コンバインにおいて、排出オーガの左右側部にそれぞれ設けている左右保護カバー巻取体に排出オーガの軸方向に沿った巻取軸を設け、この巻取軸に保護カバーを取り付けて巻き取り可能に構成し、左側保護カバー巻取体から引き出した保護カバーにより脱穀部を被覆保護し、右側保護カバー巻取体から引き出した保護カバーにより穀粒貯溜部を被覆保護するものは、公知である（特許文献１）。
【先行技術文献】
【特許文献】
【０００３】
【特許文献１】特開２００６−６７９０８号公報
【発明の概要】
【発明が解決しようとする課題】
【０００４】
前記従来技術にあっては、コンバインの左右両側部を左右保護カバーで脱穀部、穀粒貯溜部を被覆できるが、コンバインの前側部の刈取搬送部や後側部の排稾処理装置は被覆できないという不具合があった。そこで、この発明はこのような不具合を解消し、コンバイン全体をシートにより被覆しようとするものである。
【課題を解決するための手段】
【０００５】
請求項１記載の発明は、走行車体（２）の右側部に操縦部（４）とグレンタンク（６）を設け、走行車体（２）の左側部に脱穀部（５）を設け、走行車体（２）の前側部に刈取搬送部（８）を設け、走行車体（２）の後側部に排稾処理装置（７）を設けたコンバインにおいて、該コンバインの機体の高さよりも長い左右の補助棒（１２ａ，１２ａ）と、該左右の補助棒（１２ａ，１２ａ）の先端部を連結する左右方向に沿った機体幅よりも長い先端支持棒（１２ｂ）と、左右の補助棒（１２ａ，１２ａ）の基端部を折曲した左右の支持軸（１２ｃ，１２ｃ）とでシート掛け補助装置（１２）を構成し、前記走行車体（２）の左右のフレーム（２ａ，２ａ）に設けた前後方向に沿う左右のガイド溝（１１，１１）に、前記支持軸（１２ｃ，１２ｃ）に備えた左右の回転体（１３，１３）を支持し、前記シート掛け補助装置（１２）の先端支持棒（１２ｂ）にシート（１５）を取り付けた状態で該シート掛け補助装置（１２）を上下方向に回動自在で且つ前後方向に移動自在に支持したことを特徴とするコンバインのシート掛け装置とする。
【０００６】
請求項２記載の発明は、前後方向中央部の機体上面被覆用の上面シート（１５ａ）と、該上面シート（１５ａ）の前後方向中間部から左右に突出する機体左右側面被覆用の左右の側面シート（１５ｂ，１５ｂ）とで前記シート（１５）を構成したことを特徴とする請求項１記載のコンバインのシート掛け装置とする。
【発明の効果】
【０００７】
請求項１記載の発明によると、先端支持棒（１２ｂ）にシート（１５）を取り付けた状態で、支持軸（１２ｃ，１２ｃ）の左右の回転体（１３，１３）を走行車体（２）の左右のガイド溝（１１，１１）に支持し、左右の補助棒（１２ａ，１２ａ）を上下に回動しながらシート掛け補助装置（１２）を前後方向に移動させることにより、操縦部（４）、グレンタンク（６）、脱穀部（５）、刈取搬送部（８）及び排稾処理装置（７）を覆うシート掛けを一人で簡単に行なうことができる。
【０００８】
請求項２記載の発明によると、上記請求項１記載の発明の効果に加えて、上面シート（１５ａ）で機体上面を覆い、上面シート（１５ａ）から左右の側面シート（１５ｂ，１５ｂ）を左右両側に垂らして機体左右両側面を覆い、上面シート（１５ａ）の前後両側部と左右の側面シート（１５ｂ，１５ｂ）の前後両側部を互いに接合することにより、コンバインの上側面、前後両側面及び左右両側面に密着した状態で覆うことができる。
【図面の簡単な説明】
【０００９】
【図１】コンバインの側面図である。
【図２】コンバインの平面図である。
【図３】コンバインの背面図である。
【図４】シート掛け補助装置の作動状態を示す側面図である。
【図５】シート掛け補助装置の作動状態を示す平面図である。
【図６】シート掛け補助装置の斜視図、平面図である。
【図７】シートの平面図である。
【図８】シート掛け補助装置とシートの斜視図である。
【図９】コンバイン、シートの斜視図である。
【図１０】シート掛け補助装置の作動状態を示す側面図、平面図である。
【図１１】コンバイン、シート掛け補助装置の側面図、平面図である。
【図１２】シート掛け補助装置の平面図、側面図である。
【図１３】コンバインの側面図、左右のフレームの切断側面図、切断正面図である。
【図１４】シート掛け補助装置の分解した平面図である。
【図１５】シート掛け補助装置の平面図である。
【図１６】コンバインの背面図である。
【図１７】シート掛け補助装置の平面図である。
【図１８】コンバインの平面図である。
【図１９】シート掛け補助装置の平面図である。
【図２０】コンバインの側面図である。
【図２１】コンバインの正面図である。
【図２２】コンバイン、シート掛け補助装置の側面図である。
【図２３】フレーム部、シート掛け補助装置の斜視図である。
【図２４】コンバインの後部、シート掛け補助装置の斜視図である。
【図２５】シートの斜視図である。
【図２６】コンバインの背面図である。
【図２７】コンバインの側面図である。
【図２８】フレーム、シート掛け補助装置の側面図、切断正面図である。
【図２９】コンバインの側面図である。
【図３０】シート掛け補助装置の平面図である。
【図３１】シート掛け補助装置の平面図、側面図である。
【発明を実施するための形態】
【００１０】
以下、図面に示すこの発明の実施例について説明する。
図１〜図３に基づき、本発明を備えたコンバイン１の全体構成について説明する。コンバイン１の走行車体２の下方には、左右一対のクローラ走行装置３，３を配設し、走行車体２上の右側部には前側部に操縦部４を、操縦部４の後方にグレンタンク６を、左側部に脱穀部５を、脱穀部５及びグレンタンク６の後方に排稾処理装置７をそれぞれ配設している。操縦部４及び脱穀部５の前方には、植立穀稈を分草引起しながら刈り取り後方の脱穀部５に向けて搬送する刈取搬送部８を昇降自在に設けている。
【００１１】
次に、図１〜図６に基づきコンバイン１のシート掛け補助装置１２について説明する。
走行車体２の左右のフレーム２ａ，２ａの左右両側面に前後方向に沿った左右のガイド溝１１，１１を設けている。シート掛け補助装置１２を、所定長さの左右の補助棒１２ａ，１２ａと、左右の補助棒１２ａ，１２ａの先端部を連結する左右方向の先端支持棒１２ｂと、左右の補助棒１２ａ，１２ａの基端部を内側に折曲した左右の支持軸１２ｃ，１２ｃとで、コ字状に屈折した正面視門型に構成し、左右幅を機体幅よりも広く、左右の補助棒１ａ，１２ａの長さを機体高さよりも長く構成している。この支持軸１２ｃ，１２ｃに左右ベアリング１３，１３を回転自在に軸支している。
【００１２】
次に、シート掛け作業について説明する。
まず、シート掛け補助装置１２の支持軸１２ｃ，１２ｃのベアリング１３，１３を左右のガイド溝１１，１１の後側端部に移動し、図４の「１２Ａ状態」に示すように、シート掛け補助装置１２の先端側を後側に倒し、先端補助棒１２ｂに設けたフック１４，１４にシート１５の前側端部を取り付ける。次いで、「１２Ｂ状態」に示すように、シート掛け補助装置１２の先端側を上方へ回動してシート１５を持ち上げる。次いで、「１２Ｃ状態」、「１２Ｄ状態」に示すように、シート掛け補助装置１２を上方へ回動した状態で、左右の支持軸１２ｃのベアリング１３，１３を回転させながらガイド溝１１，１１内を前側に移動し、シート１５を前方へ移動しコンバイン１を被覆する。次いで、「１２Ｄ状態」から「１２Ｅ状態」に示すように、シート掛け補助装置１２の先端側を前側下方に回動し、刈取搬送部７の分草杆７ａでシート掛け補助装置１２を支持する。このようにして、機体の後側部から前側部までの全体をシート１５で被覆することができる。
【００１３】
また、シート１５を取り外す場合には、「１２Ｅ状態」のシート掛け補助装置１２を下側から上側に回動して「１２Ｄ状態」とし、次いで、シート補助装置１２を順次後方へ移動して、「１２Ｃ状態」、「１２Ｂ状態」、「１２Ａ状態」に戻すことにより、シート１５を機体から取り外すことができる。
【００１４】
コンバイン１のシート掛け作業は２人で何とかできるような手間のかかる作業である。しかし、前記構成によると、シート掛け補助装置１２を利用することにより、一人で簡単にシート掛けをすることができる。また、シート掛け補助装置１２及びシート１５をコンバイン１に常時備え付けておくと、スコール等の緊急時にも迅速にシート掛けをして対応することができる。
【００１５】
なお、図２７及び図２８に示すよう構成してもよい。シート掛け補助装置１２の支持軸１２ａ，１２ａを左右のフレーム２ａ，２ａのガイド溝１１，１１に移動自在に支持するにあたり、支持軸１２ｃ，１２ｃに角軸部１２ｃａ，１２ｃａを形成し、左右のフレーム２ａ，２ａのガイド溝１１，１１の上下高さを角軸部１２ｃａ，１２ｃａの最小径と同じに構成している。また、ガイド溝１１，１１の前後両端部の上下高さを角軸部１２ｃａ，１２ｃａの最大径となる前後大径部に構成している。
【００１６】
前記構成によると、ガイド溝１１，１１の前後大径部では支持軸１２ｃ，１２ｃの角軸部１２ｃａ，１２ｃａを自由に回動させ、シート掛け補助装置１２を上下に回動することができる。また、ガイド溝１１，１１の中間小径部を移動中には、角軸部１２ｃａ，１２ｃａの最小径部が左右のフレーム２ａ，２ａのガイド溝１１，１１を摺動し回動しないで移動するので、シート掛け補助装置１２を起立状態を保持して前後方向にスライドでき、シート掛けを円滑にすることができる。
【００１７】
また、シート１５を、図７及び図８に示すように、前後方向中央部の所定長さの上面シート１５ａと、上面シート１５ａの前後方向中間部から左右に突出する左右の側面シート１５ｂ，１５ｂで構成している。また、上面シート１５ａの前側端部に支持孔１５ｃ，１５ｃを設け、シート掛け補助装置１２の先端支持棒１２ｂのフック１４，１４に支持できるようにしている。そして、上面シート１５ａの左右前後両側縁及び左右の側面シート１５ｂ，１５ｂの前後両端縁にファスナ１６，…を取り付けて、互いに接合可能に構成し、コンバイン１の外周部に密着した状態で、機体の上側面、前後両側面、左右両側面をシート１５で被覆できるようにしている。
【００１８】
また、図９に示すように、刈取搬送部７の分草杆７ａ、７ａに係止具１７，１７を設け、前記「１２Ｅ状態」に示すように、シート掛け補助装置１２を前方下方へ回動した状態では、シート掛け補助装置１２の先端補助棒１２ｂを係止具１７，１７に係止し、シート１５の捲れを防止するようにしている。
【００１９】
次に、図１０について説明する。
シート掛け補助装置１２からシート１５を取り外し、シート掛け補助装置１２を前記「１２Ａ状態」に示すように下方に回動し、この状態からシート掛け補助装置１２を前方に移動して「１２Ｆ状態」とし、走行車体２の後側部及び左右両側後側部を覆うようにする。しかして、シート掛け補助装置１２の左右の補助棒１２ａ，１２ａに左右両側のナローガイドとしての機能を持たせ、未刈穀稈の機体への巻き込みを防止することができる。
【００２０】
次に、図１１に基づき小型コンバインのシート掛け補助装置１２について説明する。
シート掛け補助装置１２を例えば左右一側の左補助棒１２ａと、左補助棒１２ａの先端部に連結している左右方向の幅の狭い先端支持棒１２ｂと、左補助棒１２ａの基端部を内側に折曲しベアリング１３付きの左支持軸１２ｃと、先端補助棒１２ｂの先端を屈折したフック１４により構成し、変形Ｌ字状に屈折し、左右幅を機体幅の例えば１／２の幅狭とし、左補助棒１ａを機体高さよりも長く構成している。
【００２１】
しかして、先端補助棒１２ｂのフック１４にシート１５の中央前側部を取り付け、作業者がシート１５の前側右部を持ち、シート掛け補助装置１２及びシート１５を上下回動しながら後側から前側に移動し、シート掛けをするものであり、シート掛け補助装置１２を小形安価に構成することができる。
【００２２】
次に、図１２に基づきシート掛け補助装置１２の他の実施例について説明する。
シート掛け補助装置１２を、左右の補助棒１２ａ，１２ａと、左右の補助棒１２ａ，１２ａ間を連結する左右方向の先端補助棒１２ｂと、左右の補助棒１２ａ，１２ａの基端部を内側に屈折し且つベアリング１３付きの左右の支持軸１２ｃ，１２ｃとで構成している。
【００２３】
この左右の補助棒１２ａ，１２ａと先端補助棒１２ｂとを着脱自在に分割構成し、左右の補助棒１２ａ，１２ａと先端補助棒１２ｂの接合部を左右の補助棒１２ａ，１２ａの長手方向沿って所定長さ移動自在に接続している。長手方向に伸縮自在の蛇腹筒体１９，１９をこの接続部に嵌合装着し、所定接合状態を維持するようにしている。そして、左右の補助棒１２ａ，１２ａの後側端部に衝突検出スイッチ２０，２０を設け、先端補助棒１２ｂに所定値以上の短縮方向の力がかかると、先端補助棒１２ｂの先端作動片２０ａが前方へ移動し、衝突検出スイッチ２０をＯＮするように構成している。
【００２４】
しかして、シート掛け補助装置１２の先端補助棒１２ｂをコンバイン１の機体後側部に接近して配置すると、シート掛け補助装置１２により機体後部の衝突状態を検出することができる。衝突検出に関連して、警報を発したり、エンジンを停止したりすることにより、衝突を回避し安全を確保することができる。
【００２５】
次ぎに、図１３について説明する。図１３（Ａ）に示すように、左右のフレーム２ａ，２ａの後側部後方にはホルダ２２，２２を設け、シート掛け補助装置１２の左右の補助棒１２ａ，１２ａの先端部に設けた係止膨出部２２ａ，２２ａを係止し、シート掛け補助装置１２を左右のフレーム２ａ，２ａ内に収納した状態で固定するするよう構成し、コンバイン１と共にシート掛け補助装置１２を持ち運ぶようにしている。
【００２６】
また、図１３（Ｂ）に示すように、ガイド溝１１，１１の前側端部に深くなる段差１１ａ，１１ａを設け、左右の補助棒１２ａ，１２ａがガイド溝１１，１１内を前方に移動し、左右の補助棒１２ａ，１２ａのベアリング１３，１３が段差１１ａ，１１ａに落下する。すると、左右の補助棒１２ａ，１２ａの後方への移動を阻止し、収納固定することができる。
【００２７】
次に、図１４に基づきシート掛け補助装置１２の他の実施例について説明する。
シート掛け補助装置１２を、左右の補助棒１２ａ，１２ａと、先端補助棒１２ｂと、左右の補助棒１２ａ，１２ａの基端部に内側に折曲した状態で接続し且つベアリング１３を取り付けている左右の支持軸１２ｃ，１２ｃとで構成している。そして、左右の補助棒１２ａ，１２ａを左右前後補助棒１２ａａ，１２ａｂに分割し、先端補助棒１２ｂを左右先端補助棒１２ｂａ，１２ｂｂに分割し、左右の補助棒１２ａ，１２ａと左右の支持軸１２ｃ，１２ｃを分割構成している。これら分割構成部材を中空のパイプで構成し、パイプ内に連続したゴム紐２４を通し、分割構成部材の接続部を図１４（Ｃ）に示すように、小径突出部２３ａと嵌合凹部２３ｂとからなる接続部とし、着脱自在に接合連結可能に構成している。
【００２８】
前記構成によると、シート掛け補助装置１２をコンバイン１から取り外すと、機体の突出部をなくすことができ、藁などの引っ掛かりを防止できる。また、シート掛け補助装置１２の構成部材を取り外した際に、分割構成部材をゴム紐２４により連結状態のままで保存することができ、部品紛失の怖れもなく迅速に組立てることができる。
【００２９】
次に、図１５に基づきシート掛け補助装置１２の他の実施例について説明する。
左右のフレーム２ａ，２ａに構成するガイド溝１１，１１を左右幅広に構成する。また、シート掛け補助装置１２を、左右の補助棒１２ａ，１２ａと、左右に分割している左右先端補助棒１２ｂ，１２ｂと、左右の補助棒１２ａ，１２ａの基端部に連結固定している左右の支持軸１２ｃ，１２ｃとで構成している。先端補助棒１２ｂ，１２ｂの左右接続部に内側に引っ張るスプリング２６を介装して、接続パイプ２５で嵌合被覆し、左右方向に伸縮自在で、且つ、内側に短縮しがちに構成している。
【００３０】
前記構成によると、シート掛け補助装置１２の使用時には左右のフレーム２ａ，２ａ、左右先端補助棒１２ｂ，１２ｂを左右両側に突出した機体幅より広くし、また、収納時には左右のフレーム部２ａ，２ａのガイド溝１１，１１内にスプリング２６により幅狭状態に短縮させ収納することができる。
【００３１】
次に、図１６及び図１７に基づきシート掛け補助装置１２の他の実施例について説明する。
シート掛け補助装置１２を、左右の補助棒１２ａ，１２ａと、先端補助棒１２ｂと、左右の補助棒１２ａ，１２ａの基端部に連結固定している左右の支持軸１２ｃ，１２ｃとで構成する。そして、左右の補助棒１２ａ，１２ａの中間部に中間関節部１２ｆ，１２ｆを設け、左右の補助棒１２ａ，１２ａの中間部を外側に脹らみ幅広にしたり、あるいは、直線状にし幅狭に変更可能に構成し、関節部１２ｆ，１２ｆ近傍にストッパ２７，２７を設け、幅広回動を規制している。
【００３２】
前記構成によると、シート掛け補助装置１２のシート掛け時には、左右の補助棒１２ａ，１２ａを機体幅より拡げ、収納時には幅狭にして機体側面に沿わせコンパクトに収納することができる。
【００３３】
次に、図１８及び図１９に基づきシート掛け補助装置１２の他の実施例について説明する。
シート掛け補助装置１２を、左右の補助棒１２ａ，１２ａと、先端補助棒１２ｂと、左右の補助棒１２ａ，１２ａの基端部に連結固定している左右の支持軸１２ｃ，１２ｃとで構成し、先端補助棒１２ｂの両端を左右の補助棒１２ａ，１２ａの先端に着脱自在に取り付けている。そして、左右の補助棒１２ａ，１２ａの中間部に中間関節部１２ｆ，１２ｆを設け、左右の補助棒１２ａ，１２ａの中間部を外側に膨らみ幅広にしたり、あるいは、直線状の幅狭に変更可能に構成し、関節部１２ｆ，１２ｆ近傍にストッパ２７，２７を設け、幅広回動を規制している。
【００３４】
前記構成によると、シート掛け補助装置１２を左右のナローガイドに変換することができる。即ち、左右の補助棒１２ａ，１２ａから先端補助棒１２ｂを取り外し、左右の補助棒１２ａ，１２ａを左右のフレーム２ａ，２ａのガイド溝１１，１１の前端部まで移動し、左右の補助棒１２ａ，１２ａを左右の支持軸１２ｃ，１２ｃ回りに回動して機体前側左右両側部に移動する。次いで、左右の補助棒１２ａ，１２ａを機体幅より拡げた状態で、その先端部を刈取搬送部７の左右分草杆７ａ，７ａの前側端部下面に係止する。従って、左右の補助棒１２ａ，１２ａをナローガイドに変換させ、未刈取穀稈を左右両側に案内し、コンバイン１への巻き込みを防止することができる。
【００３５】
次に、図２０〜図２３に基づきシート掛け補助装置１２の他の実施例について説明する。
シート掛け補助装置１２を、左右の補助棒１２ａ，１２ａと、先端補助棒１２ｂと、左右の補助棒１２ａ，１２ａの基端部に連結固定している左右の支持軸１２ｃ，１２ｃとで正面視門型に構成している。左右のフレーム２ａ，２ａの側面に、図２３に示すように、左右両側に突出する軸３２ａ，３２ａを介して前後ベアリング３２，３２を軸支している。
【００３６】
シート掛け補助装置１２の左右の支持軸１２ｃ，１２ｃを左右ブラケット３１，３１に軸支し、ブラケット３１の移動溝３１ａに前後ベアリング３２，３２を嵌合支持し、ブラケット３１３１を前後方向に移動調節自在に支持している。そして、図２２（Ａ）〜（Ｃ）に示すように、ブラケット３１の移動範囲を左右のフレーム２ａ，２ａの前側端部から前後方向中間部までとしている。
【００３７】
また、左右の補助棒１２ａ，１２ａ及び先端補助棒１２ｂと同一の門型構成の補助フレーム３０，…を複数個設け、補助フレーム３０，…の基部をシート掛け補助装置１２の左右の支持軸１２ｃ，１２ｃに軸支して前後回動自在に支持している。そして、コンバイン１の機体全体を覆うことのできる側面視半円形のシート１５をシート掛け補助装置１２，補助フレーム３０，…に取り付ける。図２２（Ｂ）に示すように、これらを後側下方に回動すると、シート１５は収納状態となり、また、図２２（Ｃ）に示すように、シート掛け補助装置１２を前方へ回動すると、補助フレーム３０，…が側面視扇形状に展開し、シート１５で機体を被覆するようにしている。
【００３８】
図２２（Ｂ）に示すように、左右のフレーム２ａ，２ａの前後方向中間部にブラケット３１，３１を位置させた状態で、シート１５を拡げて機体を覆い、ブラケット３１，３１を前側端部に移動調節すると、シート１５を収納できるようにしている。
【００３９】
また、左右方向に沿った左右の支持軸１２ｃ，１２ｃにはギヤ２８ａを取り付け、クランクレバー２９に取り付けた駆動ギヤ２８ｂをギヤ２８ａに噛み合わせ、クランクレバー２９を回動操作により、前側に位置しているシート掛け補助装置１２をギヤ２８ａにより前後に回動し、補助フレーム３０，…及びシート１５を拡縮可能に構成している。
【００４０】
しかして、図１２（Ｂ）に示すように、左右のフレーム２ａ，２ａの前後方向中間部にブラケット３１，３１を移動し、クランクレバー２９を回動操作し、後側に回動しているシート掛け補助装置１２を前側に回動すると、図１２（Ｃ）に示すように、シート１５を展開しコンバイン１を覆うことができる。また、図２１（Ａ）に示すように、シート掛け補助装置１２を左右のフレーム２ａ，２ａの前側に移動調節すると、シート１５をコンパクトに機体下部に収納することができる。
【００４１】
前記構成によると、機体を迅速にシート１５で被覆したり、収納したりすることができる。
なお、図２１に示すように、モータＭにより駆動ギヤ２８ｂを駆動し、シート掛け補助装置１２を遠隔操作により回動できるようにしてもよい。
【００４２】
次に、図２４〜図２６について説明する。
走行車体２の後側部に巻取軸３３を左右方向に沿わせて軸架し、巻取軸３３の左側端部にハンドル３３ａを取り付けている。図２６に示すように、走行車体２の左側にはナローガイド３４を設け、巻取軸３３のハンドル３３ａをナローガイド３４の幅内に納めている。シート１５の始端側を巻取軸３３のフック３３ｂ，３３ｂに係止し、シート１５を巻き取っておく。そして、シート１５掛けをする場合には、シート掛け補助装置１２の先端補助棒１２ｂにシート１５の終端側を係止し、シート１５を引出ながらシート掛け補助装置１２を上下に回動しつつ前側に移動し、シート掛けをする。シート１５を外す場合には、巻取軸３３にシート１５を巻き取っておく。また、巻取軸３３にシート１５を巻き取る際には、図２５（Ａ）に示すように、前後方向に長い上面シート１５ａに左右の側面シート１５ｂ，１５ｂを折り畳んだ状態で幅狭にして巻き取る。シート掛けの際には、図２５（Ｂ）に示すように、左右の側面シート１５ｂ，１５ｂを拡げて使用する。
【００４３】
前記構成によると、コンバイン１にシート１５を常備することができ、スコール等の緊急時にも迅速にシート掛けをすることができる。また、巻取軸３３のハンドル３３ａへの未刈取穀稈の巻き込みを防止することができる。
【００４４】
次に、図２９及び図３０に基づきシート掛け補助装置１２の他の実施例について説明する。
シート掛け補助装置１２を、左右の補助棒１２ａ，１２ａと、先端補助棒１２ｂと、左右の補助棒１２ａ，１２ａの基端部に連結固定している左右の支持軸１２ｃ，１２ｃとで正面視門型に構成し、左右の補助棒１２ａ，１２ａに先端補助棒１２ｂの左右屈折部１２ｂａ，１２ｂａを摺動調節自在に支持している。そして、シート掛け補助装置１２の左右の支持軸１２ｃ，１２ｃを左右のフレーム２ａ，２ａの前後方向中間部の一点（例えば、機体全長の略中心）で軸支している。
【００４５】
しかして、シート掛けをするときには、左右の補助棒１２ａ，１２ａから先端補助棒１２ｂ，１２ｂを引き出して長くし、左右の支持軸１２ｃ，１２ｃを支点としてシート掛け補助装置１２を前後に回動しながらシート掛けをする。また、シート１５の収納時には、シート掛け補助装置１２を機体の後側下部に回動し、左右の補助棒１２ａ，１２ａ内に先端補助棒１２ｂ，１２ｂの左右屈折部１２ｂａ，１２ｂａを収納短縮し小型化し、邪魔にならないように収納することができる。
【００４６】
前記構成によると、部品点数を少なくしコストの低減を図りながら、強固なシート掛け補助装置１２を提供することができる。
また、図３１に示すように、左右の補助棒１２ａ，１２ａに対して先端補助棒１２ｂ，１２ｂの左右屈折部１２ｂａ，１２ｂａを伸縮自在に構成するにあたり、左右の補助棒１２ａ，１２ａに複数の調節支持孔３６，…を設け、先端補助棒１２ｂ，１２ｂの左右屈折部１２ｂａ，１２ｂａに取付孔を設け、取付ピンで有段調節するように構成してもよい。このように構成すると、複数の型式に対応することができる。
【符号の説明】
【００４７】
２      走行車体
２ａ    左右のフレーム
４      操縦部
５      脱穀部
６      グレンタンク
７      排稾処理装置
８      刈取搬送部
１１      左右のガイド溝
１２ａ    左右の補助棒
１２ｂ    先端支持棒
１２ｃ    左右の支持軸
１２      シート掛け補助装置
１３      左右の回転体（ベアリング）
１５      シート
１５ａ    上面シート
１５ｂ    左右の側面シート
【図１】
2011045311.tif 000003
【図２】
2011045311.tif 000004
【図３】
2011045311.tif 000005
【図４】
2011045311.tif 000006
【図５】
2011045311.tif 000007
【図６】
2011045311.tif 000008
【図７】
2011045311.tif 000009
【図８】
2011045311.tif 000010
【図９】
2011045311.tif 000011
【図１０】
2011045311.tif 000012
【図１１】
2011045311.tif 000013
【図１２】
2011045311.tif 000014
【図１３】
2011045311.tif 000015
【図１４】
2011045311.tif 000016
【図１５】
2011045311.tif 000017
【図１６】
2011045311.tif 000018
【図１７】
2011045311.tif 000019
【図１８】
2011045311.tif 000020
【図１９】
2011045311.tif 000021
【図２０】
2011045311.tif 000022
【図２１】
2011045311.tif 000023
【図２２】
2011045311.tif 000024
【図２３】
2011045311.tif 000025
【図２４】
2011045311.tif 000026
【図２５】
2011045311.tif 000027
【図２６】
2011045311.tif 000028
【図２７】
2011045311.tif 000029
【図２８】
2011045311.tif 000030
【図２９】
2011045311.tif 000031
【図３０】
2011045311.tif 000032
【図３１】
2011045311.tif 000033